(57)【要約】【課題】薬品等の医科材料について、ＩＣタグに記憶された情報、或いは、診察カードに記憶された情報よりも更に詳細な情報を得ることができるＩＣタグを用いた医科材料の物流システム及び診察システムを提供する。【解決手段】医科材料２、又は、ＩＣ診察カード３に設けられたＩＣタグ４に対して読み取り、及び／又は、書込を行なうＩＣタグリーダ・ライタ５を備えた携帯端末６と、サーバ７とがインターネットを利用する通信回線網８を介して通信自在に接続される医科材料の物流システム及び診察システム１であって、前記携帯端末６は、ＩＣタグ４を読み取ったＩＣタグリーダ・ライタ５からのＩＣタグ内データを受信するＩＣタグ内データ受信手段と、該ＩＣタグ内データと関連するサーバデータを要求するべくデータ要求信号を送信するサーバデータ要求送信手段等を備えている。【選択図】図１
2007133635.tif 000002
【特許請求の範囲】
【請求項１】
医科材料、又は、ＩＣ診察カードに設けられたＩＣタグに対して読み取り、及び／又は、書込を行なうＩＣタグリーダ・ライタを備えた携帯端末と、サーバとがインターネットを利用する通信回線網を介して通信自在に接続される医科材料の物流システム及び診察システムであって、
前記携帯端末は、ＩＣタグリーダ・ライタに対し、ＩＣタグの読み取り要求信号を送信するＩＣタグ読み取り要求手段と、
ＩＣタグを読み取ったＩＣタグリーダ・ライタからのＩＣタグ内データを受信するＩＣタグ内データ受信手段と、
該ＩＣタグ内データと関連するサーバデータを要求するべくデータ要求信号を送信するサーバデータ要求送信手段と、
該サーバからのデータを受信するサーバデータ受信手段と、
受信したデータを表示するサーバデータ表示手段とを備え、
前記サーバは、前記データ要求信号を受信するデータ要求受信手段と、
該データ要求信号に基づき該サーバに備えられたデータベース内のデータを抽出する抽出手段と、
抽出したデータを送信する抽出データ送信手段とを備えていることを特徴とする医科材料の物流システム及び診察システム。
【請求項２】
医科材料、又は、ＩＣ診察カードに設けられたＩＣタグに対して読み取り、及び／又は、書込を行なうＩＣタグリーダ・ライタを備えたコンピュータが、上記サーバに、インターネットを利用する通信回線網を介して通信自在に接続され、
該コンピュータは、ＩＣタグリーダ・ライタに対し、ＩＣタグの読み取り要求信号を送信するＩＣタグ読み取り要求手段と、
ＩＣタグを読み取ったＩＣタグリーダ・ライタからのＩＣタグ内データを受信するＩＣタグ内データ受信手段と、
該ＩＣタグ内データと関連するサーバデータを要求するべくデータ要求信号を送信するサーバデータ要求送信手段と、
該サーバからのデータを受信するサーバデータ受信手段と、
受信したデータを表示するサーバデータ表示手段とを備えていることを特徴とする請求項１記載の医科材料の物流システム及び診察システム。
【請求項３】
上記サーバデータ要求手段が要求するデータ要求信号はＵＲＬであることを特徴とする請求項１又は２記載の医科材料の物流システム及び診察システム。
【請求項４】
上記サーバデータ要求信号が要求する信号は、医科材料を識別するための医科材料識別番号、又は、ＩＣ診察カードを識別するＩＣ診察カード識別番号及びＩＣ診察カードを所有する患者の保険番号であることを特徴とする請求項１乃至３のうちいずれか一に記載の医科材料の物流システム及び診察システム。
【請求項５】
上記サーバは、上記データベース内のデータをＷｅｂページによって提供するＷｅｂページ提供手段を備え、上記抽出データ送信手段は、該Ｗｅｂページ提供手段が提供するＷｅｂページを送信するように構成されていることを特徴とする請求項１乃至４のいずれか一に記載の医科材料の物流システム及び診察システム。
【請求項６】
上記携帯端末、又は、上記コンピュータは、受信したＩＣタグ内データを表示するＩＣタグ内データ表示手段を備えていることを特徴とする請求項１乃至５のうちいずれか一に記載の医科材料の物流システム及び診察システム。
【請求項７】
上記携帯端末に備えられるＩＣタグリーダ・ライタは、上記携帯端末に内蔵、又は、外付けにより設けられていることを特徴とする請求項１乃至６のいずれか一に記載の医科材料の物流システム及び診察システム。
【発明の詳細な説明】
【技術分野】
【０００１】
本発明は、医科材料、又は、ＩＣ診察カードに設けられたＩＣタグに対して読み取り、及び／又は、書込を行なうＩＣタグリーダ・ライタを備えた携帯端末又はコンピュータと、サーバとがインターネットを利用する通信回線網を介して通信自在に接続されるＩＣタグを用いた医科材料の物流システム及び診察システムに関する。
【背景技術】
【０００２】
此種従来のシステムとして、例えば、特許文献１が知られている。特許文献１には、薬品に関する情報を管理するサーバと、薬品容器に備えられた非接触ＩＣタグと、通信回線を介してサーバに接続された複数の通信端末とにより、薬品に関する情報の管理を行なう薬品情報管理システムが記載され、この薬品情報管理システムは、非接触ＩＣタグに、薬品容器に入った薬品を識別する薬品識別データが記憶された記憶手段を有し、複数の通信端末には、それぞれ非接触ＩＣタグの記憶手段に記憶された薬品識別データを読み取るアンテナと、薬品識別データをサーバに送信すると共にサーバから情報を受信するための送受信手段とを有し、サーバには、通信端末から受信した薬品識別データに基づいて薬品の在庫情報を登録する薬品情報データベースを有している。
【０００３】
又、特許文献１には、病院に設置された通信端末に、カルテカードの記憶手段に記憶された処方箋のデータを読み取る読取手段と、非接触ＩＣタグの記憶手段に記憶された薬品を識別する薬品識別データとを読み取るアンテナと、読取手段で読取った処方箋のデータとアンテナで読取った薬品を識別する薬品識別データとを照合し、薬品が処方箋で示された薬品に該当する否かを判定する照合判定手段とを有する技術が記載されている。
【特許文献１】特開２００３−９５４４０号公報
【発明の開示】
【発明が解決しようとする課題】
【０００４】
上記特許文献１に記載の薬品情報管理システムは、医療機関で消費された薬品情報を、例えば、製薬会社や薬品流通会社が通信回線を介して得ることを可能にするものであり、更に処方箋に合った薬品の投与が正確に行なえるというものである。
然しながら、特許文献１は、サーバに薬品の在庫情報を登録するものであり、又は、薬品が処方箋で示された薬品に該当する否かを判定するものであり、非接触ＩＣタグ、及び、カルテカード内に記憶された限定された情報を利用するものである。
【０００５】
従って、特許文献１は、薬品等の医科材料について、ＩＣタグに記憶された情報よりも更に詳細な情報、或いは、カルテカード等の診察カードに記憶された情報以外の更に詳細な情報を得ることができない。
【０００６】
以上の現状に鑑み、本発明は、薬品等の医科材料について、ＩＣタグに記憶された情報、或いは、診察カードに記憶された情報よりも更に詳細な情報を得ることができるＩＣタグを用いた医科材料の物流システム及び診察システムを提供することを目的とする。
【課題を解決するための手段】
【０００７】
上記の課題を解決すべく、本発明は以下の構成を提供する。
請求項１に係る発明は、医科材料、又は、ＩＣ診察カードに設けられたＩＣタグに対して読み取り、及び／又は、書込を行なうＩＣタグリーダ・ライタを備えた携帯端末と、サーバとがインターネットを利用する通信回線網を介して通信自在に接続される医科材料の物流システム及び診察システムであって、
前記携帯端末は、ＩＣタグリーダ・ライタに対し、ＩＣタグの読み取り要求信号を送信するＩＣタグ読み取り要求手段と、
ＩＣタグを読み取ったＩＣタグリーダ・ライタからのＩＣタグ内データを受信するＩＣタグ内データ受信手段と、
該ＩＣタグ内データと関連するサーバデータを要求するべくデータ要求信号を送信するサーバデータ要求送信手段と、
該サーバからのデータを受信するサーバデータ受信手段と、
受信したデータを表示するサーバデータ表示手段とを備え、
前記サーバは、前記データ要求信号を受信するデータ要求受信手段と、
該データ要求信号に基づき該サーバに備えられたデータベース内のデータを抽出する抽出手段と、
抽出したデータを送信する抽出データ送信手段とを備えていることを特徴とする医科材料の物流システム及び診察システムを提供するものである。
【０００８】
請求項２に係る発明は、医科材料、又は、ＩＣ診察カードに設けられたＩＣタグに対して読み取り、及び／又は、書込を行なうＩＣタグリーダ・ライタを備えたコンピュータが、上記サーバに、インターネットを利用する通信回線網を介して通信自在に接続され、
該コンピュータは、ＩＣタグリーダ・ライタに対し、ＩＣタグの読み取り要求信号を送信するＩＣタグ読み取り要求手段と、
ＩＣタグを読み取ったＩＣタグリーダ・ライタからのＩＣタグ内データを受信するＩＣタグ内データ受信手段と、
該ＩＣタグ内データと関連するサーバデータを要求するべくデータ要求信号を送信するサーバデータ要求送信手段と、
該サーバからのデータを受信するサーバデータ受信手段と、
受信したデータを表示するサーバデータ表示手段とを備えていることを特徴とする請求項１記載の医科材料の物流システム及び診察システムを提供するものである。
【０００９】
請求項３に係る発明は、上記サーバデータ要求手段が要求するデータ要求信号はＵＲＬであることを特徴とする請求項１又は２記載の医科材料の物流システム及び診察システムを提供するものである。
【００１０】
請求項４に係る発明は、上記サーバデータ要求信号が要求する信号は、医科材料を識別するための医科材料識別番号、又は、ＩＣ診察カードを識別するＩＣ診察カード識別番号及びＩＣ診察カードを所有する患者の保険番号であることを特徴とする請求項１乃至３のうちいずれか一に記載の医科材料の物流システム及び診察システムを提供するものである。
【００１１】
請求項５に係る発明は、上記サーバは、上記データベース内のデータをＷｅｂページによって提供するＷｅｂページ提供手段を備え、上記抽出データ送信手段は、該Ｗｅｂページ提供手段が提供するＷｅｂページを送信するように構成されていることを特徴とする請求項１乃至４のいずれか一に記載の医科材料の物流システム及び診察システムを提供するものである。
【００１２】
請求項６に係る発明は、上記携帯端末、又は、上記コンピュータは、受信したＩＣタグ内データを表示するＩＣタグ内データ表示手段を備えていることを特徴とする請求項１乃至５のうちいずれか一に記載の医科材料の物流システム及び診察システムを提供するものである。
【００１３】
請求項７に係る発明は、上記携帯端末に備えられるＩＣタグリーダ・ライタは、上記携帯端末に内蔵、又は、外付けにより設けられていることを特徴とする請求項１乃至６のいずれか一に記載の医科材料の物流システム及び診察システムを提供するものである。
【発明の効果】
【００１４】
本発明の請求項１記載の発明によれば、薬品等の医科材料について、ＩＣタグに記憶された情報、或いは、診察カードに記憶された情報よりも更に詳細な情報を携帯端末によって得ることができるＩＣタグを用いた医科材料の物流システム及び診察システムを提供することができる。
【００１５】
請求項２記載の発明によれば、請求項１記載の発明の効果に加え、薬品等の医科材料について、ＩＣタグに記憶された情報、或いは、診察カードに記憶された情報よりも更に詳細な情報をコンピュータによって得ることができるＩＣタグを用いた医科材料の物流システム及び診察システムを提供することができる。
【００１６】
請求項３記載の発明によれば、上記サーバデータ要求手段が要求するデータ要求信号はＵＲＬであるので、請求項１又は２記載の発明の効果に加え、ＵＲＬによって、要求するデータが含まれるＷｅｂページを要求し、容易に必要なデータを得ることができる。
【００１７】
請求項４記載の発明によれば、上記サーバデータ要求信号が要求する信号は、医科材料を識別するための医科材料識別番号、又は、ＩＣ診察カードを識別するＩＣ診察カード識別番号及びＩＣ診察カードを所有する患者の保険番号であるので、請求項１乃至３のいずれか一に記載の発明の効果に加え、医科材料識別番号、又は、ＩＣ診察カード識別番号及び患者の保険番号によって、サーバデータを要求し、必要なデータを確実に得ることができる。
【００１８】
請求項５記載の発明によれば、上記サーバは、上記データベース内のデータをＷｅｂページによって提供するＷｅｂページ提供手段を備え、上記抽出データ送信手段は、該Ｗｅｂページ提供手段が提供するＷｅｂページを送信するように構成されているので、請求項１乃至４のいずれか一に記載の発明の効果に加え、インターネットを利用する簡易なシステムでデータを提供できると共に、Ｗｅｂページによってデータを見やすく表示できる。
【００１９】
請求項６記載の発明によれば、上記携帯端末、又は、上記コンピュータは、受信したＩＣタグ内データを表示するＩＣタグ内データ表示手段を備えているので、請求項１乃至５のうちいずれか一に記載の発明の効果に加え、ＩＣタグ内データを携帯端末又は、コンピュータで見ることができる。
【００２０】
請求項７記載の発明によれば、上記携帯端末に備えられるＩＣタグリーダ・ライタは、上記携帯端末に内蔵、又は、外付けにより設けられているので、請求項１乃至６のいずれか一に記載の発明の効果に加え、ＩＣタグリーダ・ライタ内蔵の場合は、ＩＣタグリーダ・ライタと、携帯端末との組合せ構造の外観をシンプルにすることができ、外付けの場合は、ＩＣタグリーダ・ライタが不要な時は取外しが可能である。
【発明を実施するための最良の形態】
【００２１】
以下、実施例を示した図面を参照しつつ本発明の実施の形態を説明する。
図１に於いて、１は、主として病院、又は、診療所内で構築される本発明のＩＣタグを用いた医科材料の物流システム及び診察システムであり、医科材料の物流システム及び診察システム１は、医科材料２、又は、ＩＣ診察カード３に設けられたＩＣタグ４に対して読み取り、及び／又は、書込を行なうＩＣタグリーダ・ライタ５を備えた１乃至複数の携帯端末６と、サーバ７とがインターネットを利用する通信回線網８を介して通信自在に接続されている。尚、前記携帯端末６は、通信回線網８との接続に於いて、基地局９を経由する。又、携帯端末６は、好適には、病院内で使用が認められる微弱な電流を発信するＰＨＳ（Personal Handyphone System）である。
【００２２】
尚、前記医科材料２は、歯科材料も含まれ、医科材料２に設けられたＩＣタグ４には、ＩＣタグ４のタグ識別情報、医科材料の識別情報、医科材料の詳細情報、仕入先の情報等が格納され、前記ＩＣ診察カード３のＩＣ内には、診察情報、カルテ情報等が格納されるが、ＩＣ診察カード３に設けられたＩＣタグ４には、ＩＣタグ４のタグ識別情報、ＩＣ診察カード３の識別情報、ＩＣ診察カード３保有者の保険番号等が格納されている。
【００２３】
更に、医科材料２、又は、ＩＣ診察カード３に設けられたＩＣタグ４に対して読み取り、及び／又は、書込を行なうＩＣタグリーダ・ライタ１０を備えたパーソナルコンピュータ等の１乃至複数のコンピュータ１１が、前記サーバ７に、インターネットを利用する通信回線網８を介して通信自在に接続される。
【００２４】
そして、図１及び図２に示す如く、前記携帯端末６は、ＩＣタグリーダ・ライタ５に対し、ＩＣタグ４の読み取り要求信号を送信するＩＣタグ読み取り要求手段２１と、ＩＣタグ４を読み取ったＩＣタグリーダ・ライタ５からのＩＣタグ内データを受信するＩＣタグ内データ受信手段２２と、ＩＣタグ内データと関連するサーバデータを要求するべくデータ要求信号を送信するサーバデータ要求送信手段２３と、サーバ７からのデータを受信するサーバデータ受信手段２４と、受信したデータを表示するサーバデータ表示手段２５とを備え、前記サーバ７は、前記データ要求信号を受信するデータ要求受信手段３１と、データ要求信号に基づきサーバ７に備えられたデータベース１２内のデータを抽出する抽出手段３２と、抽出したデータを送信する抽出データ送信手段３３とを備えている。
【００２５】
又、前記コンピュータ２１も、前記携帯端末６と同様に、夫々同様な機能を有するＩＣタグ読み取り要求手段４１と、ＩＣタグ内データ受信手段４２と、サーバデータ要求送信手段４３と、サーバデータ受信手段４４と、サーバデータ表示手段４５とを備えている。
【００２６】
前記サーバデータ要求手段２３が要求するデータ要求信号はＵＲＬである。又は、医科材料２を識別するための医科材料識別番号であり、或いは、ＩＣ診察カード３を識別するＩＣ診察カード識別番号及びＩＣ診察カード３を所有する患者の保険番号である。
【００２７】
又、前記サーバ７は、データベース１２内のデータをＷｅｂページによって提供するＷｅｂページ提供手段３４を備え、前記抽出データ送信手段３３は、Ｗｅｂページ提供手段３４が提供するＷｅｂページを送信するように構成されている。
【００２８】
更に、前記携帯端末６は、受信したＩＣタグ内データを表示するＩＣタグ内データ表示手段２６備えており、前記コンピュータ１１も同様に機能するＩＣタグ内データ表示手段４６を備えている。
【００２９】
更に又、前記携帯端末６に備えられるＩＣタグリーダ・ライタ５は、携帯端末６に内蔵、又は、外付けにより設けられている（図は外付けの例を示す）。外付けの場合は、携帯端末６の外周部にＩＣタグリーダ・ライタ５の端子を差し込む差込口（図示せず）が設けられる。ＩＣタグリーダ・ライタ５が内蔵される場合は、ＩＣタグリーダ・ライタ５と、携帯端末６との組合せ構造の外観をシンプルにすることができ、ＩＣタグリーダ・ライタ５が外付けされる場合は、ＩＣタグリーダ・ライタ５が不要な時は取外し可能である。
【００３０】
而して、図１及び図２を参照しながら、図３に従い、医科材料の物流システム及び診察システム１のうち、医科材料の物流システムの処理の流れについて、前記携帯端末６を用いる場合について説明する。
先ず、前記携帯端末６の操作者が、携帯端末６を操作して、ＩＣタグ読み取り要求手段２１により、ＩＣタグリーダ・ライタ５に対し、ＩＣタグ４の読み取り要求信号を送信する（ステップＳ１）。尚、前記操作者は、好適には携帯端末６を保有する病院関係者又は診療所関係者である。
【００３１】
ＩＣタグリーダ・ライタ５は、読み取り要求信号を受信すると医科材料２に設けられたＩＣタグ４に対し電波を発信し（ステップＳ２）、ＩＣタグ４はＩＣタグリーダ・ライタ５からの電波を受信すると（ステップＳ３）、ＩＣタグ内データを発信する（ステップＳ４）。ＩＣタグ内データは、ＩＣタグ４の識別番号、医科材料２の情報、及び、医科材料２の情報が含まれるＷｅｂページ情報のＵＲＬ等である。ＩＣタグリーダ・ライタ５はＩＣタグ４からＩＣタグ内データを受信すると（ステップＳ５）、ＩＣタグ内データを携帯端末６に送信する（ステップＳ６）。
【００３２】
携帯端末６は、ＩＣタグ内データ受信手段２２によって、ＩＣタグリーダ・ライタ５からのＩＣタグ内データを受信すると（ステップＳ７）、ＩＣタグ内データ表示手段２６によって、受信したＩＣタグ内データを表示する（ステップＳ８）。
【００３３】
そして、携帯端末６のユーザが更なる詳細情報を必要としない場合は、処理を終了するが、詳細情報を必要とする場合は、サーバデータ要求送信手段２３によって、ＩＣタグ内データと関連するサーバデータを要求するべくデータ要求信号を通信回線網８を介しサーバ７に対して送信する（ステップＳ９）。
【００３４】
前記サーバ７は、データ要求受信手段３１によって、データ要求信号を受信すると（ステップＳ１０）、抽出手段３２によって、データ要求信号に基づきサーバ７に備えられたデータベース１２内のサーバデータを抽出する（ステップＳ１１）。
【００３５】
この時、前記データ要求信号がＵＲＬであった場合は、Ｗｅｂページ提供手段３４によって予め生成されたＵＲＬに関連付けられたＷｅｂページ情報がデータベース１２から抽出される。Ｗｅｂページ情報内にＵＲＬに関連するサーバデータも組み込まれている。
【００３６】
又、前記データ要求信号が医科材料識別番号であった場合は、抽出手段３２によって、それらの番号に関連するサーバデータをデータベース１２から抽出し、Ｗｅｂページ提供手段３４によって、抽出したサーバデータを含むＷｅｂページ情報が生成される。
【００３７】
そして、抽出データ送信手段３３によって抽出したデータは携帯端末６に送信される（ステップＳ１２）。
携帯端末６は、サーバデータ受信手段２４によってサーバ７からのデータを受信すると（ステップＳ１３）、サーバデータ表示手段２５によって受信したデータを表示する（ステップＳ１４）。
【００３８】
尚、データがＷｅｂページ情報で受信された場合は、携帯端末６内のサーバデータ表示手段２５が備えたブラウザ機能によってＷｅｂページを表示し、更に、Ｗｅｂページ内にリンク機能が埋め込まれている場合は、リンク機能を作動させて、関連する他のＷｅｂページ情報を受信し、他のＷｅｂページを表示することも可能である。
【００３９】
斯くして、前記医科材料の物流システム及び診察システム１のうち、医科材料の物流システムによれば、薬品等の医科材料について、ＩＣタグ４内に格納された情報よりも更に詳細な情報を得ることができるＩＣタグを用いた医科材料の物流システムを提供することができる。
【００４０】
又、ＩＣタグに記憶された情報がＵＲＬを含む場合、ＵＲＬによって、要求するデータが含まれるＷｅｂページを要求し、容易に必要なデータを得ることができる。
更に、ＩＣタグに記憶された情報が、医科材料識別番号である場合、医科材料識別番号によって、サーバデータを要求し、必要なデータを確実に得ることができる。
【００４１】
更に又、前記サーバ７は、データベース１２内のデータをＷｅｂページによって提供するＷｅｂページ提供手段３４を備え、抽出データ送信手段３３は、Ｗｅｂページ提供手段３４が提供するＷｅｂページを送信するように構成されているので、インターネットを利用する簡易なシステムでデータを提供できると共に、Ｗｅｂページによってデータを見やすく表示できる。
【００４２】
そして、前記携帯端末６は、受信したＩＣタグ内データを表示するＩＣタグ内データ表示手段２６を備えているので、ＩＣタグ内データを携帯端末６で見ることができる。
【００４３】
又、前記携帯端末６に備えられるＩＣタグリーダ・ライタ５は、携帯端末６に内蔵、又は、外付けにより設けられているので、ＩＣタグリーダ・ライタ５内蔵の場合は、ＩＣタグリーダ・ライタ５と、携帯端末６との組合せ構造の外観をシンプルにすることができ、外付けの場合は、ＩＣタグリーダ・ライタ５が不要な時は取外しが可能である。
【００４４】
尚、抽出された前記サーバデータは、Ｗｅｂページ情報内に組み込まれることなく、例えば、メール等で送信されても良い。
【００４５】
又、前記データ要求信号がＵＲＬである場合に、先に、このＵＲＬに関連付けられた入力用Ｗｅｂページ情報をサーバ７から携帯端末６に送信し、携帯端末６上で、入力用Ｗｅｂページに医科材料識別番号を入力し、入力用Ｗｅｂページに入力された医科材料識別番号がサーバ７に受信された時、サーバ７は、Ｗｅｂページ提供手段３４によって医科材料識別番号と関連するサーバデータを組み込んだＷｅｂページ情報を生成するように構成しても良い。
【００４６】
更に、前記データ要求信号が、医科材料識別番号である場合に、先に入力用Ｗｅｂページを要求し、入力用ＷｅｂページにＩＣタグ４の医科材料識別番号を入力して送信するように構成しても良い。
【００４７】
又、前記携帯端末６と略同様に、前記コンピュータ１１によっても、ＩＣタグリーダ・ライタ１０を介して、医科材料２に設けられたＩＣタグ４内のＩＣタグ内データを受信することが可能であり、ＩＣタグ内データによって、前記サーバ７からのデータを受信することができるが、その作用効果は前記携帯端末６の前述した作用効果と略同様であるので、その説明は省略する。
更に又、前記医科材料の物流システム及び診察システム１のうち、医科材料の物流システムに於いては、医科材料２にＩＣタグ４が設けられているが、ＩＣタグ４が設けられのは医科材料２に限定されるものではなく、医科材料２に代えて、他の物品材料であっても良く、然る時も同様な効果が期待できる。
【００４８】
次に、図１及び図２を参照しながら、図４に従い、医科材料の物流システム及び診察システム１のうち、診察システムの処理の流れについて、前記携帯端末６を用いる場合について説明すると、先ず、前記携帯端末６の操作者が、携帯端末６を操作して、ＩＣタグ読み取り要求手段２１により、ＩＣタグリーダ・ライタ５に対し、ＩＣタグ４の読み取り要求信号を送信する（ステップＳ２１）。
【００４９】
ＩＣタグリーダ・ライタ５は、読み取り要求信号を受信するとＩＣ診察カード３に設けられたＩＣタグ４に対し電波を発信し（ステップＳ２２）、ＩＣタグ４はＩＣタグリーダ・ライタ５からの電波を受信すると（ステップＳ２３）、ＩＣタグ内データを発信する（ステップＳ２４）。ＩＣタグ内データは、ＩＣタグ４の識別番号、診察カード保有者の保険番号、又は、診察カード保有者の診察情報が含まれるＷｅｂページ情報のＵＲＬ等である。
ＩＣタグリーダ・ライタ５はＩＣタグ４からＩＣタグ内データを受信すると（ステップＳ２５）、ＩＣタグ内データを携帯端末６に送信する（ステップＳ２６）。
【００５０】
携帯端末６は、ＩＣタグ内データ受信手段２２によって、ＩＣタグリーダ・ライタ５からのＩＣタグ内データを受信すると（ステップＳ２７）、サーバデータ要求送信手段２３によって、ＩＣタグ内データと関連するサーバデータを要求するべくデータ要求信号を通信回線網８を介しサーバ７に対して送信する（ステップＳ２８）。
【００５１】
データ要求信号は、ＩＣタグ４の識別番号及び診察カード保有者の保険番号、又は、診察カード保有者の診察情報が含まれるＷｅｂページ情報のＵＲＬである。
【００５２】
前記サーバ７は、データ要求受信手段３１によって、データ要求信号を受信すると（ステップＳ２９）、抽出手段３２によって、データ要求信号に基づきサーバ７に備えられたデータベース１２内のデータを抽出する（ステップＳ３０）。
【００５３】
この時、前記データ要求信号がＵＲＬであった場合は、Ｗｅｂページ提供手段３４によって予め生成されたＵＲＬに該当するＷｅｂページ情報が抽出される。
【００５４】
又、前記データ要求信号がＩＣ診察カード識別番号及び保険番号であった場合は、それらの番号に相当するサーバデータを抽出し、Ｗｅｂページ提供手段３４によってＷｅｂページ情報内に組み込まれる。
そして、抽出データ送信手段３３によって抽出したデータは携帯端末６に送信される（ステップＳ３１）。
【００５５】
携帯端末６は、サーバデータ受信手段２４によってサーバ７からのデータを受信すると（ステップＳ３２）、サーバデータ表示手段２５によって受信したデータを表示する（ステップＳ３３）。
尚、データがＷｅｂページ情報で受信された場合は、携帯端末６内のブラウザ機能によってＷｅｂページを表示し、更に、Ｗｅｂページ内にリンク機能が埋め込まれている場合は、リンク機能を作動させて、関連する他のＷｅｂページ情報を再受信し、他のＷｅｂページを表示することも可能である。
【００５６】
斯くして、医科材料の物流システム及び診察システム１の診察システムによれば、ＩＣタグに記憶された情報、或いは、診察カードに記憶された情報よりも更に詳細な患者の診察情報を得ることができる。
【００５７】
尚、前記データ要求信号がＵＲＬである場合に、先に、このＵＲＬに関連付けられた入力用Ｗｅｂページ情報をサーバ７から携帯端末６に送信し、携帯端末６上で、入力用Ｗｅｂページに識別番号及び保険番号を入力し、入力用Ｗｅｂページに入力された識別番号及び保険番号がサーバ７に受信された時、サーバ７は、Ｗｅｂページ提供手段３４によって識別番号及び保険番号と関連するサーバデータを組み込んだＷｅｂページ情報を生成するように構成しても良い。
【００５８】
又、データ要求信号が、ＩＣタグ４の識別番号及び診察カード保有者の保険番号である場合は、先に入力用Ｗｅｂページを要求し、入力用ＷｅｂページにＩＣタグ４の識別番号及び診察カード保有者の保険番号を入力して送信するように構成しても良い。
【００５９】
更に、前記携帯端末６を用いる場合と同様に、前記コンピュータ１１によっても、ＩＣ診察カード３に設けられたＩＣタグ４内のＩＣタグ内データを受信することが可能であり、前記サーバ７からのデータを受信することができるが、その作用効果は前述した前記携帯端末６を用いる場合と同様であるので、その説明は省略する。
【図面の簡単な説明】
【００６０】
【図１】本発明による医科材料の物流システム及び診察システムを概略的に示す説明図である。
【図２】（ａ）携帯端末の本発明に係わる主な機能を示す説明図である。（ｂ）コンピュータの本発明に係わる主な機能を示す説明図である。（ｃ）サーバの本発明に係わる主な機能を示す説明図である。
【図３】本発明による医科材料の物流システム及び診察システムのうち、医科材料の物流システムの流れを概略的に示す説明図である。
【図４】本発明による医科材料の物流システム及び診察システムのうち、診察システムの流れを概略的に示す説明図である。
【符号の説明】
【００６１】
１  医科材料の物流システム及び診察システム
２  医科材料
３  ＩＣ診察カード
４  ＩＣタグ
５，１０  ＩＣタグリーダ・ライタ
６  携帯端末
７  サーバ
８  公衆回線網
１１  コンピュータ
１２  データベース
２１，４１  ＩＣタグ読み取り要求手段
２２，４２  ＩＣタグ内データ受信手段
２３，４３  サーバデータ要求送信手段
２４，４４  サーバデータ受信手段
２５，４５  サーバデータ表示手段
２６，４６  ＩＣタグ内データ表示手段
３１  データ要求受信手段
３２  抽出手段
３３  抽出データ送信手段
３４  Ｗｅｂページ提供手段
【図１】
2007133635.tif 000003
【図２】
2007133635.tif 000004
【図３】
2007133635.tif 000005
【図４】
2007133635.tif 000006